(57)【特許請求の範囲】
【請求項１】
予め粉末の無機顔料と分散剤および炭酸カルシウムを撹拌混合した上、
所定量ごとに水溶性フィルムからなる袋に小分け包装し、
該水溶性フィルムにて小分け包装した分散顔料を、袋ごと施工現場でモルタルまたはポリマーセメント塗料に投入して撹拌混合し、
壁材あるいは床材として使用できるようにしたことを特徴とする分散顔料包装材の製造方法。
【請求項２】
前記撹拌混合が、高速撹拌を伴うスーパーミキサーによって行われてなることを特徴とする請求項１に記載の分散顔料包装材の製造方法。
【請求項３】
前記水溶性フィルムが、５℃程度の冷水に可溶なタイプであることを特徴とする請求項１または２に記載の分散顔料包装材の製造方法。
【請求項４】
前記水溶性フィルムが、ポリビニルアルコールを原料とするものであることを特徴とする請求項１ないし３のいずれかに記載の分散顔料包装材の製造方法。
【発明の詳細な説明】
【技術分野】
【０００１】
本発明は、粉末の無機顔料に分散剤および炭酸カルシウムを撹拌混合した上、所定量ごとに水溶性フィルムからなる袋に小分け包装し、当該包装材を施工現場でモルタルまたはポリマーセメント塗料に投入して撹拌混合し、壁材あるいは床材として使用できるようにした分散顔料包装材の製造方法に関するものである。
【背景技術】
【０００２】
従来、水を用いて混練し使用されるモルタルまたはポリマーセメント塗料等は、粉末の状態の分散顔料を現場で撹拌混合して色付けするのが一般的であった。そして、使用に際しては、粉末のモルタルまたはポリマーセメント塗料等に粉末の分散顔料を配合し、水と混練して使用していた。この時、粉塵の飛散があり、作業者に対して衛生面で好ましくなかった。
【０００３】
また、モルタルまたはポリマーセメント塗料等を水を用いて混練しておき、これに粉末の状態の分散顔料を現場で撹拌混合して色付けすることも試みられていたが、分散顔料の混合状態が良好ではないという問題があった。
【０００４】
特開平６−３４５１２４号公報（特許文献１参照）には、各種セメント，石膏等の水硬性物質を主結合材にした塗料または塗材、再乳化形粉末樹脂、水溶性樹脂等を主結合材とした塗料の新規な包装形態とその製品が提案されている。
また、特開平８−１６４９号公報（特許文献２参照）には、非水硬性無機質粉末を金属硫酸塩又は金属硫酸塩とアルカリ性物質で着色処理した無機質着色粉末を、モルタル又はコンクリ−ト材料の混練時に崩壊する袋体に充填してなる無機質着色粉末の包装体およびこの包装体を、モルタル又はコンクリ−ト材料の混練時に投入し混合することを特徴とする着色モルタル又はコンクリ−トの製法が提案されている。
【先行技術文献】
【特許文献】
【０００５】
【特許文献１】特開平６−３４５１２４号公報
【特許文献２】特開平８−１６４９号公報
【発明の概要】
【発明が解決しようとする課題】
【０００６】
本発明は、粉末の無機顔料に分散剤および炭酸カルシウムを撹拌混合した上、所定量ごとに水溶性フィルムからなる袋に小分け包装することにより、現場で施工する際にモルタルまたはポリマーセメント塗料等に袋ごと投入することができるようにした分散顔料包装材で、長期保存が可能であり、また施工時にモルタルまたはポリマーセメント塗料等に袋ごと投入するだけで水溶性フィルムが水に溶解して無理なく塗料を着色することができる分散顔料包装材の製造方法を提供することを目的とするものである。
【課題を解決するための手段】
【０００７】
すなわちこの発明の分散顔料包装材の製造方法は、予め粉末の無機顔料と分散剤および炭酸カルシウムを撹拌混合した上、
所定量ごとに水溶性フィルムからなる袋に小分け包装し、
該水溶性フィルムにて小分け包装した分散顔料を、袋ごと施工現場でモルタルまたはポリマーセメント塗料に投入して撹拌混合し、
壁材あるいは床材として使用できるようにしたことを特徴とするものである。
本発明に使用される水可溶性のフィルムの材質としては、ポリビニルアルコール，ポリビニルピロリドン，メチルセルロース，ポリエチレンオキサイド，ヒドロキシエチルセルロース，ゼラチン等がある。これらは、溶解すると粘性や保水性を発現するので、それ自体が塗料の成分の一部となり得る。
【０００８】
この発明の分散顔料包装材の製造方法において、前記撹拌混合は、高速撹拌を伴うスーパーミキサーによって行われてなることをも特徴とするものである。
【０００９】
この発明の分散顔料包装材の製造方法において、前記水溶性フィルムは、５℃程度の冷水に可溶なタイプであることをも特徴とするものである。
【００１０】
この発明の分散顔料包装材の製造方法において、前記水溶性フィルムは、ポリビニルアルコールを原料とするものであることをも特徴とするものである。
【発明の効果】
【００１１】
この発明の分散顔料包装材の適用される、施工現場で撹拌混合して充填されるモルタルまたはポリマーセメント塗料の例としては、各種セメント，骨材が既調合となったセメントモルタル，各種軽量骨材，スラグ，炭酸カルシウム，水酸化アルミニウム，再乳化形粉末樹脂，石膏，しっくい等を適度に配合した左官用資材や耐火被覆材、再乳化形粉末樹脂あるいは粉末状水溶性樹脂を主結合材とした繊維壁材や建築仕上塗材等があげられる。
【００１２】
使用に際しては、水溶性フィルムからなる袋に小分け包装した分散顔料包装材を袋ごとモルタルまたはポリマーセメント塗料に投入し、所定量の水に浸して使用する。数秒間から数分間で分散顔料包装材の水溶性フィルムは水に溶解する。
この間に粉末状の分散顔料が湿り気をおびるため次工程の撹拌において粉塵の発生が押さえられる。そして小分け包装した分散顔料包装材を適宜数量投入させた場合、誤差の少ない調色が可能になる。
【００１３】
このような開封作業を必要としない分散顔料包装材を提供することによって、開封する作業の煩わしさを改善し、作業効率を向上させるとともに、粉塵の飛散から作業者を保護し、衛生的作業環境が実現できる。
また、分散顔料包装材に粉末の無機顔料を計量して配合した場合は、顔料の計量手間を無くすとともに調色の精度を高めることができる。
【図面の簡単な説明】
【００１４】
【図１】水溶性フィルムからなる袋に小分け包装した分散顔料包装材をモルタルまたはポリマーセメント塗料に投入しようとする実施例を示す概略説明図である。
【発明を実施するための形態】
【００１５】
以下本発明の分散顔料包装材の製造方法詳細について、図面や実施例に基いて詳細に説明する。
図１は混合容器１１内に水溶性フィルムからなる袋に小分け包装した分散顔料包装材１２をモルタルまたはポリマーセメント塗料１３に投入しようとする状態を示すものであり、両者を混合容器に投入して水と撹拌混合することにより、ゲル状にして壁材や床材として使用できるようにしたものである。
【実施例】
【００１６】
次に本発明の分散顔料包装材を実施例により具体的に説明するが、本発明はこれにより何等限定されるものではない。
【００１７】
実施例
ポリビニルアルールを主成分とする水溶性フィルム（商品名「ハイセロン」、冷水可溶タイプ、三菱ケミカル株式会社製）厚さ７５μのシートをつくり、１５×２０ｃｍの袋にし、粉末の無機着色顔料に分散剤および炭酸カルシウムを撹拌混合したものを５ｋｇ充填した。混練には高速回転ミキサー（商品名「スーパーミキサー」、株式会社カワタ製）を用いた。
これを混合容器１１内に、上述のようにして水溶性フィルムからなる袋に小分け包装した分散顔料包装材１２と、モルタルまたはポリマーセメント塗料１３とを投入し、さらに混合容器１１内に水を入れ、５分間撹拌混合した。
投入時および混練時の粉塵の飛散は全く無く、作業環境は快適であった。撹拌混合後直ちに混練状態を確認したところ、分散顔料包装材１２の袋は完全に溶解して混錬した塗料も全体が均一になっていた。
なお、分散顔料包装材１２を６カ月保存した後、分散顔料を取り出して観察したが何等異常は認められず保管性の良いことが判明した。
【産業上の利用可能性】
【００１８】
開封作業を必要としない分散顔料包装体からなる包装形態の製品を提供することによって、開封する作業の煩わしさを改善し、作業効率を向上させるとともに、粉塵の飛散から、作業者を保護し、衛生的作業環境が実現できる。
また、分散顔料として着色顔料を所定量加えた場合は、顔料の計量手間を無くすとともに調色の精度を高めることができる。
【符号の説明】
【００１９】
１１  混合容器
１２  分散顔料包装材
１３  モルタルまたはポリマーセメント塗料
【要約】
【課題】
長期保存が可能であり、また施工時にモルタルまたはポリマーセメント塗料等に袋ごと投入するだけで水溶性フィルムが水に溶解して無理なく塗料を着色することができる分散顔料包装材を提供することを目的とする。
【解決手段】
粉末の無機顔料に分散剤および炭酸カルシウムを撹拌混合した上、所定量ごとに水溶性フィルムからなる袋に小分け包装し、該水溶性フィルムにて小分け包装した分散顔料を、施工現場でモルタルまたはポリマーセメント塗料に投入して撹拌混合し、壁材あるいは床材として使用できるようにしたことを特徴とする分散顔料包装材。
【選択図】図１【図１】
0006786735.tif 000002